(57)【要約】【課題】少ない装飾部材で高い装飾効果が得られる遊技機を提供する。【解決手段】裏セット盤１４の左枠部４２に、透明板との間に左側部装飾部材４６が配設されると共に、裏セット盤１４の右枠部４４に、透明板との間に右側部装飾部材５０が配設される。左枠部４２には、左端縁から前方に延出する左側壁４２ａが形成され、右枠部４４には、右端縁から前方に延出する右側壁４４ａが形成される。左枠部４２の左側壁４２ａにおける内面に、左側部装飾部材４６を映し出し得る左鏡面６２が設けられる。右枠部４４の右側壁４４ａにおける内面に、右側部装飾部材５０を映し出し得る右鏡面６４が設けられる。【選択図】図２
2010017249.tif 000002
【特許請求の範囲】
【請求項１】
前側に遊技領域が設けられる透明板と、該透明板の裏側に取り付けられる裏セット盤とを有する遊技盤を備える遊技機において、
前記透明板の裏面に対向する裏セット盤の前面に配設され、所定の奥行き寸法を有して透明板を介して前側から視認可能な装飾部材と、
前記装飾部材の側方に隣接して臨んで前記裏セット盤に設けられると共に、前記透明板を介して前側から視認可能で、前記装飾部材を映し出し得る鏡面とから構成した
ことを特徴とする遊技機。
【請求項２】
前記鏡面は、裏側から前側に向かうにつれて前記装飾部材から離間するよう傾斜する請求項１記載の遊技機。
【請求項３】
前記鏡面は、傾斜角度の異なる複数の鏡面部を有する請求項２記載の遊技機。
【請求項４】
前記装飾部材は発光手段により発光するよう構成される請求項１〜３の何れか一項に記載の遊技機。
【請求項５】
前記裏セット盤は、前記透明板と対向する板状本体の外周縁に、透明板に向けて延出する側壁が形成され、
前記装飾部材は、前記裏セット盤の左右の両側壁に沿って夫々配設され、
前記裏セット盤における左右の側壁の内面に前記鏡面が夫々形成される請求項１〜４の何れか一項に記載の遊技機。
【請求項６】
前記装飾部材の前面は、前記鏡面に近接する端部から前側に向かうにつれて該鏡面から離間する形状に形成される請求項５記載の遊技機。
【請求項７】
前記透明板の前面に、前記遊技領域の上部に遊技球を案内する円弧状のレール部材が該透明板の左右何れか一方の側縁に偏って配置され、
前記レール部材が偏る一方の側縁に対応する前記鏡面は、裏側から前側に向かうにつれて対応する装飾部材から離間する傾斜角度が、他方の側縁に対応する前記鏡面の傾斜角度より大きく設定される請求項６記載の遊技機。
【発明の詳細な説明】
【技術分野】
【０００１】
この発明は、透明板および透明板の裏側に配設される裏セット盤から遊技盤を構成した遊技機に関するものである。
【背景技術】
【０００２】
遊技機の代表例の一つであるパチンコ機では、遊技盤を合成樹脂製の透明板と、この透明板の裏側に取り付けた裏セット盤で構成した、所謂「透明遊技盤」が設けられたものがある(例えば、特許文献１参照)。この透明遊技盤では、透明板の前側に遊技領域が形成されているから、透明板の裏側、すなわち裏セット盤の前面には、遊技領域を流下するパチンコ球の動きに影響を与えることなく各種の装飾体や発光装置等の装飾部材を自由に配置することができる。
【特許文献１】特開平１０−１７９８５４号公報
【発明の開示】
【発明が解決しようとする課題】
【０００３】
前述した透明遊技盤を採用したパチンコ機では、透明板の裏側に、各種装飾部材を配置する広い設置スペースが確保できる反面、広い設置スペースの全体に多数の装飾部材を配置することは、部品点数の増加および製造コストの高騰に繋がる問題があった。また逆に、広い設置スペースに対して配置する装飾部材を少なく抑えると、設置スぺースが広いために装飾されていない部分が多くなって目立ち、装飾効果が低下する難点がある。
【０００４】
すなわち本発明は、従来の技術に係る遊技機に内在する前記課題に鑑み、これを好適に解決するべく提案されたものであって、少ない装飾部材で高い装飾効果が得られる遊技機を提供することを目的とする。
【課題を解決するための手段】
【０００５】
前記課題を克服し、所期の目的を達成するため、本願の請求項１に係る発明は、
前側に遊技領域(12a)が設けられる透明板(12)と、該透明板(12)の裏側に取り付けられる裏セット盤(14)とを有する遊技盤(10)を備える遊技機において、
前記透明板(12)の裏面に対向する裏セット盤(14)の前面に配設され、所定の奥行き寸法を有して透明板(12)を介して前側から視認可能な装飾部材(46,50)と、
前記装飾部材(46,50)の側方に隣接して臨んで前記裏セット盤(14)に設けられると共に、前記透明板(12)を介して前側から視認可能で、前記装飾部材(46,50)を映し出し得る鏡面(62,64)とから構成したことを特徴とする。
【０００６】
請求項１の発明によれば、装飾部材に隣接して該装飾部材を映し出し得る鏡面を裏セット盤に設けることで、少ない装飾部材で高い装飾効果が得られる。すなわち、装飾部材の配設数を低減すると共に製造コストを低廉に抑えることができる。
【０００７】
請求項２に係る発明では、前記鏡面(62,64)は、裏側から前側に向かうにつれて前記装飾部材(46,50)から離間するよう傾斜することを要旨とする。
請求項２の発明によれば、鏡面を裏側から前側に向かうにつれて装飾部材から離間するよう傾斜することで、該鏡面に映し出された装飾部材の前側からの視認性が向上する。
【０００８】
請求項３に係る発明では、前記鏡面(62,64)は、傾斜角度の異なる複数の鏡面部(62a,62b,62c,64a,64c)を有することを要旨とする。
請求項３の発明によれば、鏡面に傾斜角度の異なる複数の鏡面部を設けることで、同一の装飾部材を多様な態様で映し出すことができ、装飾性を高めると共に興趣の向上を図り得る。
【０００９】
請求項４に係る発明では、前記装飾部材(46,50)は発光手段(54)により発光するよう構成されることを要旨とする。
請求項４の発明によれば、発光手段により発光する装飾部材からの光が鏡面で反射することで、発光による装飾効果を向上し得る。
【００１０】
請求項５に係る発明では、前記裏セット盤(14)は、前記透明板(12)と対向する板状本体(36)の外周縁に、透明板(12)に向けて延出する側壁(42a,44a)が形成され、
前記装飾部材(46,50)は、前記裏セット盤(14)の左右の両側壁(42a,44a)に沿って夫々配設され、
前記裏セット盤(14)における左右の側壁(42a,44a)の内面に前記鏡面(62,64)が夫々形成されることを要旨とする。
請求項５の発明によれば、裏セット盤の左右の側壁に鏡面を形成することで、遊技者(前側)からは鏡面に映し出される装飾部材によって実際より広い範囲に装飾部材が配置されているように見え、高い装飾効果が得られる。
【００１１】
請求項６に係る発明では、前記装飾部材(46,50)の前面は、前記鏡面(62,64)に近接する端部から前側に向かうにつれて該鏡面(62,64)から離間する形状に形成されることを要旨とする。
請求項６の発明によれば、装飾部材の前面を、鏡面に近接する端部から前側に向かうにつれて該鏡面から離間する形状に形成することで、鏡面に映し出される装飾部材の視認性が向上する。
【００１２】
請求項７に係る発明では、前記透明板(12)の前面に、前記遊技領域(12a)の上部に遊技球を案内する円弧状のレール部材(16)が該透明板(12)の左右何れか一方の側縁に偏って配置され、
前記レール部材(16)が偏る一方の側縁に対応する前記鏡面(62,64)は、裏側から前側に向かうにつれて対応する装飾部材(46,50)から離間する傾斜角度が、他方の側縁に対応する前記鏡面(62,64)の傾斜角度より大きく設定されることを要旨とする。
請求項７の発明によれば、遊技領域の上部に遊技球を案内するレール部材が偏って配置される側の鏡面の傾斜角度を大きくしたから、遊技者が注目するレール部材側での鏡面に映し出される装飾部材の視認性をより良好にすることができ、興趣を向上し得る。
【発明の効果】
【００１３】
本発明に係る遊技機によれば、少ない装飾部材で高い装飾効果が得られ、部品点数を低減し得ると共に製造コストを低廉に抑えることができる。
【発明を実施するための最良の形態】
【００１４】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機の遊技盤１０を前側(遊技者側)から見た状態で指称する。
【実施例】
【００１５】
実施例に係るパチンコ機の遊技盤１０は、図１に示すように、略正方形に形成されたアクリルやポリカーボネート等の光透過性の合成樹脂材からなる平板状の透明板１２と、該透明板１２の裏面に組み付けられる不透明な材料で形成された裏セット盤１４とから構成される。裏セット盤１４の裏側に対して、各種図柄を変動表示可能な液晶表示装置(図示せず)が着脱自在に取り付けられるよう構成されると共に、裏セット盤１４に形成された前後に開口する可視表示部３６ａを介して液晶表示装置の表示面を前面側から視認し得るようになっている。
【００１６】
(透明板について)
図１に示すように、前記透明板１２の前面には、内レール(レール部材)１６と外レール(レール部材)１８が半円弧状に配設されて、両レール１６,１８によりパチンコ球が流下可能な遊技領域１２ａが透明板前面に画成され、図示しない打球発射装置から発射されたパチンコ球が遊技領域１２ａ内に打ち出されるようになっている。なお、内レール１６は、透明板１２の左側の上部に開放端を臨ませるよう構成され、打球発射装置から発射されたパチンコ球は、透明板１２の下側から左側に両レール１６,１８で案内され、内レール１６の開放端から遊技領域１２ａの上部に打ち出される。すなわち、打球発射装置から発射されたパチンコ球を遊技領域１２ａに案内するための両レール１６,１８により形成される球通路１９は、遊技領域１２ａ(透明板１２)の左側の側縁に偏って位置するように構成される。
【００１７】
前記透明板１２の前面には、前記液晶表示装置において主に図柄変動ゲームが展開される領域を囲むセンター役物２０が配設されている。このセンター役物２０の上縁部には、円弧状の庇部２０ａが形成され、前記遊技領域１２ａに打ち出されたパチンコ球が液晶表示装置における図柄変動ゲームが展開される領域を横切って流下するのを該庇部２０ａで規制するよう構成される。また透明板１２の前面には、前記センター役物２０の配設位置より下方位置に、図１に示す如く、前記遊技領域１２ａを流下するパチンコ球が入賞可能な始動入賞装置２２や特別入賞装置２４が配設されており、該始動入賞装置２２にパチンコ球が入賞することで、前記液晶表示装置において図柄変動ゲームが展開され、該図柄変動ゲームの結果、液晶表示装置に所定の図柄組合わせで図柄が停止表示されると、前記特別入賞装置２４の入賞口が開放して所謂大当りが発生し、多数の賞球を獲得し得るよう構成されている。
【００１８】
前記透明板１２の下方位置の前面には、前記特別入賞装置２４を挟む左右両側に、電飾装置２６および普通入賞具２８が対称となる位置関係で夫々配設されている。各電飾装置２６は、不透明な材料で形成された装飾部品２６ａと、該装飾部品２６ａの裏側に配設された基板(図示せず)から構成され、該基板に実装した複数のＬＥＤ２６ｂを、装飾部品２６ａに形成した対応する通孔を介して夫々前側に臨ませている。基板は図示しない配線を介して制御装置(図示せず)に電気的に接続され、該制御装置からの制御信号に基づいてＬＥＤ２６ｂを発光演出するよう構成される。
【００１９】
前記透明板１２において外レール１８の外側の領域には、当該領域を前面から覆う透視不能な合成樹脂材から形成されたコーナー飾り３０が夫々設けられている。各コーナー飾り３０は、図１に示すように、前記遊技領域１２ａに臨む内周面が前記外レール１８に沿って湾曲形成されている。すなわち、実施例の遊技盤１０は、コーナー飾り３０が配設されている部分を除く略全ての領域において、前記透明板１２を介して裏側が視認し得るよう構成されている。
【００２０】
(センター役物について)
前記センター役物２０は、略全体が透明な材料を材質として、図１に示す如く、左右方向の中央を上下に通る中央線を挟んで左右対称の形状に形成される。このセンター役物２０には、前記庇部２０ａの下側に大型の上部装飾体３２が配設され、該上部装飾体３２は、前記裏セット盤１４に配設された発光装置３４によって裏側から照明されるようになっている。
【００２１】
(裏セット盤について)
前記裏セット盤１４は、透視不能な合成樹脂材(例えばＡＢＳ樹脂)から、外郭形状が前記透明板１２と略整合する大きさおよび形状に形成された枠状本体３６を有し、該枠状本体３６の略中央位置に前記可視表示部３６ａが開設されている。前記可視表示部３６ａは矩形状に開口しており、枠状本体３６について、図２において可視表示部３６ａより上側の部位を上枠部３８と指称し、該可視表示部３６ａより下側の部位を下枠部４０と指称し、可視表示部３６ａより左側の部位を左枠部４２と指称し、可視表示部３６ａより右側の部位を右枠部４４と指称するものとする。
【００２２】
前記枠状本体３６の上枠部３８には、上端縁から前方に延出する上壁３８ａが形成されると共に、下枠部４０には、下端縁から前方に延出する下壁４０ａが形成されている。また枠状本体３６の左枠部４２には、左端縁から前方に延出する左側壁(側壁)４２ａが形成されると共に、右枠部４４には、右端縁から前方に延出する右側壁(側壁)４４ａが形成されており、前記裏セット盤１４は、全体として前方に開放する箱状に形成される。そして、前記透明板１２は、裏セット盤１４の上下および左右の壁３８ａ,４０ａ,４２ａ,４４ａの前端に裏面を当接した状態で配設されて、該透明板１２の裏面と裏セット盤１４における各枠部３８,４０,４２,４４との間に所定寸法の隙間が画成されるよう構成してある(図３および図４参照)。
【００２３】
前記裏セット盤１４の左枠部４２に、前記透明板１２との間に左側部装飾部材(装飾部材)４６と左側部基板部材(基板部材)４８とが前後に重なる状態で配設されると共に、該裏セット盤１４の右枠部４４に、前記透明板１２との間に右側部装飾部材(装飾部材)５０と右側部基板部材(基板部材)５２とが前後に重なる状態で配設されている。なお、左枠部４２に配設される左側部装飾部材４６および左側部基板部材４８と、右枠部４４に配設される右側部装飾部材５０および右側部基板部材５２は左右対称であるので、左枠部４２に配設される左側部装飾部材４６および左側部基板部材４８について詳細に説明し、右枠部４４に配設される右側部装飾部材５０および右側部基板部材５２については、同一部材に同じ符号を付して詳細説明は省略する。
【００２４】
(左側部装飾部材について)
前記左側部装飾部材４６は、図２に示す如く、前記左枠部４２の上下方向の略全長に亘って延在する部材であって、前記透明板１２の裏面に臨む前面部(前面)４６ａ(右側部装飾部材５０では前面部を符号５０ａで示す)が、図３に示すように、前記左側壁４２ａから可視表示部３６ａに向かうにつれて前方に膨出する弧状に形成されて、所定の奥行き寸法を有している。すなわち、左側壁４２ａと左側部装飾部材４６の前面部４６ａとの隙間が、奥側から手前側に向かうにつれて拡開するように構成してある。また、左側部装飾部材４６は裏面側が略全面的に開放して、前記左側部基板部材４８の前面に、該左側部基板部材４８を覆うように配設される。左側部装飾部材４６は、光透過性を有する半透明な材料から形成されると共に、前面部４６ａには各種の色彩によって模様が施されて、裏側の左側部基板部材４８が透かして見え難くしてある。すなわち、遊技盤１０の前面側からは、前記透明板１２を介して左側部装飾部材４６のみが視認し得るよう構成される。但し、左側部装飾部材４６は光透過性を有しており、前記左側部基板部材４８の後述する発光部品    から照射された光によって発光演出を行ない得るようになっている。
【００２５】
(左側部基板部材について)
前記左側部基板部材４８は、左枠部４２の上下方向の略全長に亘って延在するよう配設されると共に、該左側部基板部材４８の前面に前記左側部装飾部材４６の後面が接触する状態で配設されている。この左側部基板部材４８は、図３に示す如く、前面にＬＥＤやランプ等の発光部品(発光手段)５４を複数配設した基板５６と、該基板５６の前面を覆うように配設された光透過性および光拡散性を有する基板カバー５８とから基本的に構成される。そして、前記発光部品５４から照射される光は、基板カバー５８を通して前記左側部装飾部材４６を裏側から照明するよう構成されている。
【００２６】
(下部装飾部材および下部基板部材について)
前記裏セット盤１４における下枠部４０には、図２に示す如く、左側部装飾部材４６および右側部装飾部材５０に連続するように位置する一対の下部装飾部材６０,６０が左右に離間して配設されている。また、一対の下部装飾部材６０,６０も左右対称となる形状および位置関係で配置してある。各下部装飾部材６０の基本的な構成は左側部装飾部材４６と同じであって、下枠部４０に配設されて下部装飾部材６０の裏側に位置する図示しない下部基板部材の前側を覆って、遊技盤１０の前面側からは、前記透明板１２を介して下部装飾部材６０のみが視認し得るよう構成される。下部基板部材の基本的な構成は、前記左側部基板部材４８と同じであって、発光部品から下部装飾部材６０に向けて光を照射して発光演出を行ない得るようになっている。
【００２７】
なお、左側部装飾部材４６および左側の下部装飾部材６０に施される模様と、右側部装飾部材５０および右側の下部装飾部材６０に施される模様は、図２に示すように左右対称に形成されている。
【００２８】
(裏セット盤の鏡面について)
前記裏セット盤１４の左側壁４２ａにおける内面に、前記左側部装飾部材４６を映し出し得る左鏡面(鏡面)６２が設けられている。この左鏡面６２は、左側壁４２ａの内面にアルミ箔等の鏡面シートを貼着して形成される。また左鏡面６２は、図２に示す如く、左側壁４２ａの上下方向に複数(実施例では３つであるが２つあるいは４つ以上であってもよい)に区分された鏡面部を有している。実施例では、上、中、下の３つに区分され、上鏡面部６２ａ、中鏡面部６２ｂおよび下鏡面部６２ｃと指称するものとする。なお、鏡面の形成方法は、前記の方法に限らず、反射材を含む塗料のスプレー等による塗布、アルミ等の金属の蒸着等、その他各種の方法を採用できる。
【００２９】
前記左鏡面６２における３つの鏡面部６２ａ,６２ｂ,６２ｃは、図３に示す如く、前記左側部装飾部材４６の後端が臨む左側部基板部材４８の前面を基準面(透明板１２と平面な面)として、裏側から前側に向かうにつれて左側部装飾部材４６から離間するように傾斜している。すなわち、左鏡面６２は、遊技盤１０の前側中央から見て奥側から手前側に向かうにつれて拡開するように傾斜し、パチンコ機の正面に位置している遊技者から左鏡面６２が視認容易に構成されている。また、左鏡面６２における上下の鏡面部６２ａ,６２ｃの前記基準面に対する内側(左側部装飾部材側)の傾斜角度は同一であるのに対し、中鏡面部６２ｂの前記基準面に対する内側の傾斜角度は、上下の鏡面部６２ａ,６２ｃの傾斜角度より小さく設定されており、パチンコ機の正面に位置している遊技者からの上下の鏡面部６２ａ,６２ｃに映し出される左側部装飾部材４６の見え方と、中鏡面部６２ｂに映し出される左側部装飾部材４６の見え方が異なるようにしてある。なお、実施例では、下鏡面部６２ｃは、左側の下部装飾部材６０の一部を映し出し得る位置に臨んでいる。
【００３０】
前記裏セット盤１４の右側壁４４ａにおける内面に、前記右側部装飾部材５０を映し出し得る右鏡面(鏡面)６４が設けられている。この右鏡面６４は、右側壁４４ａの内面に、前記左鏡面６２と同様に、アルミ箔等の鏡面シートを貼着して形成されるが、前述したその他の方法で形成してもよい。また右鏡面６４は、図２に示す如く、右側壁４４ａの上下方向に複数(実施例では３つであるが２つあるいは４つ以上であってもよい)に区分された鏡面部を有している。実施例では、上、中、下の３つに区分され、上鏡面部６４ａ、中鏡面部６４ｂおよび下鏡面部６４ｃと指称する。
【００３１】
前記右鏡面６４における上下の鏡面部６４ａ,６４ｃは、図４に示す如く、前記右側部装飾部材５０の後端が臨む右側部基板部材５２の前面を基準面(透明板１２と平行な面)として、裏側から前側に向かうにつれて前記右側部装飾部材５０から離間するように傾斜するのに対し、中鏡面部６４ｂは、前記基準面に対して直交するよう設定されている。すなわち、右鏡面６４の上下の鏡面部６４ａ,６４ｃは、図４に示す如く、遊技盤１０の前側中央から見て奥側から手前側に向かうにつれて拡開するように傾斜するのに対し、中鏡面部６４ｂについては前側に向けて真っ直ぐに延在している。また、右鏡面６４における上下の鏡面部６４ａ,６４ｃの前記基準面に対する内側(右側部装飾部材側)の傾斜角度は同一に設定してある。なお、前記左鏡面６２における上下の鏡面部６２ａ,６２ｃの傾斜角度は、右鏡面６４における上下の鏡面部６４ａ,６４ｃの傾斜角度より大きく設定されて、左鏡面６２に映し出される左側部装飾部材４６が、右鏡面６４に映し出される右側部装飾部材５０よりは視認し易くなるようにしてある。
【００３２】
〔実施例の作用〕
次に、前述した実施例に係るパチンコ機の作用につき説明する。
【００３３】
前記遊技盤１０において、前記裏セット盤１４に配設した左右の側部装飾部材４６,５０および下部装飾部材６０,６０は、前記透明板１２を介して前側から視認可能となっている。また、裏セット盤１４の左右の側壁４２ａ,４４ａに設けた左右の鏡面６２,６４も、透明板１２を介して前側から視認することができる。そして、左鏡面６２には、左側部装飾部材４６が映し出されると共に、右鏡面６４には、右側部装飾部材５０が映し出され、遊技者に対し、実物である左右の側部装飾部材４６,５０より更に左右側方に、恰も装飾部材が配設されているように見せることができる。すなわち、透明板１２を介して前側から視認可能な裏側のスペースの全体に実物の装飾部材を配設することなく、恰も略全てのスペースに装飾部材が配設されている如く見せて装飾効果を向上し得る。この場合に、実物の装飾部材の配設数を少なく抑えることができるから、製造コストを低廉に抑え得る。
【００３４】
また、前記左右の鏡面６２,６４は、遊技盤１０の左右の端部に位置する裏セット盤１４の左右の側壁４２ａ,４４ａに形成されているから、該左右の鏡面６２,６４に左右の側部装飾部材４６,５０が映し出されることで、実際の遊技盤１０の横幅寸法より広い範囲に装飾部材が配置されているように見せることができ、高い装飾効果が得られる。
【００３５】
実施例では、左右の側部装飾部材４６,５０の形状および前面部４６ａ,５０ａに施されている模様が左右対称となっているから、左鏡面６２に映し出される左側部装飾部材４６は、右側部装飾部材５０を斜め右側から視た形態となり、逆に右鏡面６４に映し出される右側部装飾部材５０は、左側部装飾部材４６を斜め左側から視た形態となり、興趣の向上を図り得る。更に、前記各側部基板部材４８,５２の各発光部品５４を発光させることで、前記左右の側部装飾部材４６,５０が裏側から照明された際には、該側部装飾部材４６,５０から出てくる光が対応する鏡面６２,６４で反射するから、発光による装飾効果も向上する。
【００３６】
前記左鏡面６２の全ての鏡面部６２ａ,６２ｂ,６２ｃおよび右鏡面６４の上下の鏡面部６４ａ,６４ｃは、裏側から前側に向かうにつれて内側から外側に向けて拡開するように傾斜しているから、該鏡面部６２ａ,６２ｂ,６２ｃ,６４ａ,６４ｃに映し出された側部装飾部材４６,５０のパチンコ機の正面に位置する遊技者からの視認性は向上する。なお、右鏡面６４の中鏡面部６４ｂは、前述したように基準面に対して直交するよう延在しているが、パチンコ機の正面に位置する遊技者は該中鏡面部６４ｂを斜め前方から見ることになるから、中鏡面部６４ｂに映し出される右側部装飾部材５０も視認することができる。また、左側部装飾部材４６の前面部４６ａは、図３に示す如く、左鏡面６２に近接する左端部から前側に向かうにつれて遊技盤１０の中央側に変化する曲面形状に形成され、また右側部装飾部材５０の前面部５０ａは、図４に示す如く、右鏡面６４に近接する右端部から前側に向かうにつれて遊技盤１０の中央側に変化する曲面形状に形成されているから、パチンコ機の中央正面側に位置する遊技者からは、左右の側部装飾部材４６,５０に遮られることなく左右の鏡面６２,６４に映し出される左右の側部装飾部材４６,５０を容易に視認することができる。
【００３７】
更に、前記左鏡面６２において、上下の鏡面部６２ａ,６２ｃの傾斜角度と中鏡面部６２ｂの傾斜角度とが異なっているから、左側部装飾部材４６を、各鏡面部６２ａ,６２ｂ,６２ｃに異なる態様で映し出すことができ、装飾性を高めることができる。同様に、前記右鏡面６４においても、上下の鏡面部６４ａ,６４ｃの基準面に対する角度と中鏡面部６４ｂの基準面に対する角度とが異なっているから、右側部装飾部材５０を、各鏡面部６４ａ,６４ｂ,６４ｃに異なる態様で映し出すことができ、装飾性を高めることができる。
【００３８】
図１に示す如く、前記左鏡面６２は、前記内レール１６と外レール１８とで画成される球通路１９の裏側に位置しているから、該球通路１９を移動するパチンコ球の動きに注目している遊技者に、左鏡面６２に映し出されている左側部装飾部材４６を視認させることができる。しかも、左鏡面６２における上下の鏡面部６２ａ,６２ｃの傾斜角度は、右鏡面６４における上下の鏡面部６４ａ,６４ｃの傾斜角度より大きく設定してあるから、左鏡面６２の視認性はより良好になっている。また、左鏡面６２の中鏡面部６２ｂについても、右鏡面６４の中鏡面部６４ｂに対しては、手前側が拡開するよう傾斜しているから、当該中鏡面部６２ｂの視認性も良好であり、遊技者が注目する側での鏡面全体の視認性は高く、興趣を向上し得る。
【００３９】
(変更例)
本願は前述した実施例の構成に限定されるものではなく、その他の構成を適宜に採用することができる。
(1) 実施例では、左鏡面の上、中、下の鏡面部の基準面に対する角度と、右鏡面の上、中、下の鏡面部の基準面に対する角度とが異なる場合で説明したが、左右の対応する各鏡面部の角度が同一(左右対称)となる構成を採用することができる。
(2) 実施例では、左右の各鏡面において、上下の鏡面部の傾斜角度を同一としたが、複数に区分された全ての鏡面部の傾斜角度を異ならせた構成を採用し得る。
(3) 実施例では、左右の鏡面の夫々について、基準面に対する角度(傾斜角度)が異なる複数の鏡面部に区分した場合で説明したが、長手方向の全長に亘って一様な角度にしたものであってもよい。
(4) 遊技機としては、パチンコ機に限られるものではなく、アレンジボール機やスロットマシン、あるいはパチンコ球を用いたスロットマシン等、その他各種の遊技機であってもよい。
【図面の簡単な説明】
【００４０】
【図１】本発明の好適な実施例に係るパチンコ機の遊技盤を示す正面図である。
【図２】実施例に係る装飾部材を配設した状態の裏セット盤を示す正面図である。
【図３】図１のＡ−Ａ線断面図である。
【図４】図１のＢ−Ｂ線断面図である。
【符号の説明】
【００４１】
１０  遊技盤
１２  透明板
１２ａ  遊技領域
１４  裏セット盤
１６  内レール(レール部材)
３６  枠状本体
４２ａ  左側壁(側壁)
４４ａ  右側壁(側壁)
４６  左側部装飾部材(装飾部材)
５０  右側部装飾部材(装飾部材)
５４  発光部品(発光手段)
６２  左鏡面(鏡面)
６２ａ  上鏡面部(鏡面部)
６２ｂ  中鏡面部(鏡面部)
６２ｃ  下鏡面部(鏡面部)
６４  右鏡面(鏡面)
６４ａ  上鏡面部(鏡面部)
６４ｃ  下鏡面部(鏡面部)
【図１】
2010017249.tif 000003
【図２】
2010017249.tif 000004
【図３】
2010017249.tif 000005
【図４】
2010017249.tif 000006